(57)【要約】【課題】耐衝撃性に優れた回転飾り装置を提供すること。【解決手段】飾り体２００と、飾り体を支持する軸体３００と、軸体を回転する駆動手段５００とを備えた回転飾り装置において、当該回転飾り装置は、軸体をその回転軸の方向に沿って移動可能に設けるとともに、軸体を所定の部位に支持する弾性体３３０を設けてなる構成の回転飾り装置である。【選択図】        図１
2004177285.tif 000002
【特許請求の範囲】
【請求項１】
飾り体と、前記飾り体を支持する軸体と、前記軸体を回転する駆動手段とを備えた回転飾り装置において、
当該回転飾り装置は、前記軸体をその回転軸の方向に沿って移動可能に設けるとともに、前記軸体を所定の部位に支持する弾性体を設けてなることを特徴とする回転飾り装置。
【請求項２】
当該回転飾り装置は、前記軸体にテーパー部を設けるとともに、前記飾り体を前記軸体に載置してなるものであり、
前記飾り体が衝撃の影響で前記軸体に対して水平方向に位置ずれしようとする際は、前記飾り体が前記テーパー部に乗り上げて、前記軸体が前記弾性体を変形しつつ上下方向に移動することを特徴とする請求項１記載の回転飾り装置。
【発明の詳細な説明】
【０００１】
【発明の属する技術分野】
本発明は、飾り体を回転させる回転飾り装置に関し、例えば時計の装飾等に利用されるものである。
【０００２】
【従来の技術】
時計の装飾等に利用される飾りの駆動装置としては、飾り体を軸体に支持し、その軸体を所定の駆動手段にて回転するものが知られている。駆動手段は、モータに輪列を組み付ける等して構成されている。この種の回転飾り装置は、例えば特許文献１乃至４にも記載されている。
【０００３】
【特許文献１】特開平７−２８７０７８号公報
【特許文献２】特開平８−１６０１６１号公報
【特許文献３】特開平９−１９７０６３号公報
【特許文献４】特開平９−３０９３００号公報
【０００４】
【発明が解決しようとする課題】
ところで、前述した回転飾り装置は、使用時及び輸送時等における不慮の衝撃を緩和するための構成も重要とされている。すなわち、衝撃による故障や破損をより簡素な構成で効率よく防止するべく、更なる構造的工夫が求められている。本発明は、かかる事情に鑑みてなされたものであり、耐衝撃性に優れた回転飾り装置を提供することである。
【０００５】
【課題を解決するための手段】
本願第１請求項に記載した発明は、飾り体と、前記飾り体を支持する軸体と、前記軸体を回転する駆動手段とを備えた回転飾り装置において、当該回転飾り装置は、前記軸体をその回転軸の方向に沿って移動可能に設けるとともに、前記軸体を所定の部位に支持する弾性体を設けてなる構成の回転飾り装置である。このような構成によると、耐衝撃性に優れた回転飾り装置が得られる。
【０００６】
すなわち本発明の回転飾り装置は、飾り体を支持する軸体がその回転軸に沿って移動可能に設けられたものであり、衝撃を受けると、この軸体が弾性体を変形しつつ移動する構成となっている。衝撃が治まると、軸体は弾性体の復元力によって元の部位に復帰する。故に、不慮の衝撃に起因する装置の故障や破損は未然に防止される。
【０００７】
本願第２請求項に記載した発明は、当該回転飾り装置は、前記軸体にテーパー部を設けるとともに、前記飾り体を前記軸体に載置してなるものであり、前記飾り体が衝撃の影響で前記軸体に対して水平方向に位置ずれしようとする際は、前記飾り体が前記テーパー部に乗り上げて、前記軸体が前記弾性体を変形しつつ上下方向に移動する構成の回転飾り装置である。
【０００８】
すなわち本発明の回転飾り装置は、衝撃による飾り体の水平方向の位置ずれを、軸体が上下方向に移動して回避するものである。衝撃が治まると、軸体は弾性体の復元力にて元の部位に復帰するとともに、飾り体は自重でテーパー部を滑り落ちて元の部位に復帰する。
【０００９】
【発明の実施の形態】
以下に、本発明の具体例を図１乃至図７に基づいて詳細に説明する。本例の回転飾り装置１は、時計の装飾に利用されるものであって、飾り体２００と、飾り体２００を支持する軸体３００と、軸体３００を装着する筐体４００と、軸体３００を回転する駆動手段５００と、飾り体２００を照明する発光手段６００を備えたものである（図１参照）。
【００１０】
本例の飾り体２００は、透明部材からなる飾り体上部２１０と、下面を開口した中空円盤状の飾り体下部２２０とを組み付けてなるものである。飾り体下部２２０の内部中央には、下向に突出した円筒ボス２２１が設けられており、飾り体２００は、円筒ボス２２１を軸体３００に載せることによって支持される。つまり飾り体２００は、軸体３００に載置された状態となっている。尚、発光手段６００は筐体４００の要所に配置されている。飾り体２００を軸体３００に載置すると、発光手段６００は飾り体下部２２０に覆われる。
【００１１】
軸体３００は、筐体４００に対して上下方向に配置されるシャフト３１０と、このシャフト３１０の上端部に固定される飾り体載置部材３２０とを備えたものである。飾り体載置部材３２０は、円筒ボス２２１を載せる部材であるとともに、駆動手段５００と連結されるギア部材である。また、筐体４００の要所には、シャフト３１０を上下移動可能に保持するシャフト挿入孔４０１が設けられている。そして軸体３００は、筐体４００の要所に配置された弾性体たる板バネ３３０により所定の部位に支持されている。具体的には、シャフト挿通孔４０１の上部には板バネ３３０を配置する凹部４０２が設けられており、シャフト３１０は板バネ３３０を貫通するとともにこれに係止されている。このように軸体３００は、その回転軸の方向（上下方向）に沿って移動可能に設けられている。尚、図中の４０３は、飾り体下部２２０と対向する筐体４００の上面部であり、この上面部４０３の中心には、軸体３００の上端部、つまり飾り体載置部材３２０を露出する軸体露出孔４０４が設けられている。
【００１２】
駆動手段５００は、モータ５１０を動力源として軸体３００を回転するものであり、モータの駆動軸に設けられたウォームギア５２０と、ウォームギア５２０と噛合された第１ギア５３０と、第１ギア５３０と噛合された第２ギア５４０と、第２ギア５４０と噛合された第３ギア５５０とを備えている。第３ギア５５０は、軸体３００の飾り体載置部材３２０と噛合されており、モータ５１０の動力は、第１ギア５３０、第２ギア５４０、及び第３ギア５５０により減速されて軸体３００に伝達される（図２参照）。
【００１３】
本例の場合、軸体３００における飾り体載置部材３２０の上面には、軸体３００の回転軸を中心とした放射線状に複数のテーパー部３２１（図例では４つ）が設けられている。また、飾り体下部２２０における円筒ボス２２１の下端には、これらのテーパー部３２１とそれぞれ対応する複数の凹部２２２が設けられている。凹部２２２の幅は、テーパー部３２１の幅に対し、十分に大きなものとなっている（図３参照）。そして飾り体２００は、飾り体載置部材３２０に対し、各円筒ボス２２１の凹部２２２を各テーパー部３２１と付き合せるように載置される。
【００１４】
本例の回転飾り装置１によると、駆動手段５００のモータ５１０が回転することにより、飾り体２００が筐体４００に対して回転する。また、飾り体２００の回転に伴い発行手段６００が所定のタイミングで発光し、その光が飾り体下部２２０から透明部材たる飾り体上部２１０に伝わり、飾り体上部２１０が美しく輝く構成となっている。
【００１５】
更に、飾り体下部２２０と筐体４００の上面部４０３との間には、ある程度の間隔ｄが設定されており（図４参照）、回転飾り装置１に衝撃が加えられた際には、飾り体２００が多少揺れ動くとともに軸体３００が上下方向に移動することによって、その衝撃が緩和される。
【００１６】
つまり、飾り体２００が衝撃の影響で筐体４００側に押し付けられようとする際には、軸体３００が弾性体３３０を変形しつつ上下方向に移動する（図５参照）。衝撃が治まると、軸体３００は弾性体３３０の復元力によって元の部位に復帰する。尚、軸体３００が上下方向に移動した場合であっても、飾り載置部材３２０は第３ギア５５０に対して上下方向にスライド移動するのみであり、それらの噛合が外れることはない。
【００１７】
また、飾り体２００が衝撃の影響で軸体３００に対して水平方向に位置ずれしようとする際は、飾り体下部２２０の円筒ボス２２１が軸体３００の飾り載置部材３２０に設けられたテーパー部３２１に乗り上げることにより、軸体３００が弾性体３３０を変形しつつ上下方向に移動する（図６参照）。すなわち本例の回転飾り装置１は、衝撃による飾り体２００の水平方向の位置ずれを、軸体３００が上下方向に移動して回避するものである。衝撃が治まると、軸体３００は弾性体３３０の復元力にて元の部位に復帰するとともに、飾り体２００は自重でテーパー部３２１を滑り落ちて元の部位に復帰する。
【００１８】
尚、本例では飾り体下部２２０の円筒ボス２２１に、テーパー部３２１に対応する凹部２２２を設けたが、或いは、円筒ボス２２１の端面と飾り体載置部材３２０の上面との摩擦が十分に確保される場合、つまり摩擦のみによって軸体３００のトルクが飾り体２００に伝達され得る場合は、このような凹部２２２は省略することも可能である。かかる場合は、テーパー部３２１は円筒ボス２２１の内側に収納するように設けられる（図７参照）。
【００１９】
このように、本例の回転飾り装置１は、非常に優れた耐衝撃性を有するものであり、時計を装飾する装置として極めて好適に利用することができる。
【００２０】
【発明の効果】
以上説明したように、本発明は、飾り体と、前記飾り体を支持する軸体と、前記軸体を回転する駆動手段とを備えた回転飾り装置において、当該回転飾り装置は、前記軸体をその回転軸の方向に沿って移動可能に設けるとともに、前記軸体を所定の部位に支持する弾性体を設けてなる構成の回転飾り装置であり、このような構成によると、耐衝撃性に優れた回転飾り装置を得ることができる。
【図面の簡単な説明】
【図１】本発明の具体例に係り、回転飾り装置を示す正面縦断面図である。
【図２】本発明の具体例に係り、駆動手段を示す上面図である。
【図３】本発明の具体例に係り、飾り体の円筒ボス、及び軸体を示す説明図である。
【図４】本発明の具体例に係り、回転飾り装置の要部を示す正面縦断面図である。
【図５】本発明の具体例に係り、回転飾り装置の要部を示す正面縦断面図である。
【図６】本発明の具体例に係り、回転飾り装置の要部を示す正面縦断面図である。
【図７】本発明の具体例に係り、飾り体の円筒ボス、及び軸体を示す説明図である。
【符号の説明】
１      回転飾り装置
２００      飾り体
２１０      飾り体上部
２２０      飾り体下部
２２１      円筒ボス
２２２      凹部
３００      軸体
３１０      シャフト
３２０      飾り体載置部材
３２１      テーパー部
３３０      板バネ
４００      筐体
４０１      棒体挿入孔
４０２      凹部
４０３      上面部
４０４      軸体露出孔
５００      駆動手段
５１０      モータ
５２０      ウォームギア
５３０      第１ギア
５４０      第２ギア
５５０      第３ギア
６００      発光手段
【図１】
2004177285.tif 000003
【図２】
2004177285.tif 000004
【図３】
2004177285.tif 000005
【図４】
2004177285.tif 000006
【図５】
2004177285.tif 000007
【図６】
2004177285.tif 000008
【図７】
2004177285.tif 000009